(57)【要約】【課題】再生が再開されたコンテンツと、前回再生したコンテンツとのつながりをユーザが容易に認識可能とする再生装置を提供する。【解決手段】再生を停止してから再生の再開が指示された場合に、バッファメモリ７に蓄積されている再生停止位置よりも前の再生済みの情報から再生を開始する再生処理部３３を備える。【選択図】図２
2013254534.tif 000002
【特許請求の範囲】
【請求項１】
情報記録媒体に記録された情報を読み出す読出部と、前記読出部により前記情報記録媒体から読み出された情報を一時的に蓄積するバッファメモリと、前記バッファメモリに蓄積された順に情報を読み出して再生を行う再生処理部とを備える再生装置において、
前記再生処理部は、再生を停止してから再生の再開が指示された場合に、前記バッファメモリに蓄積されている再生停止位置よりも前の再生済みの情報から再生を開始することを特徴とする再生装置。
【請求項２】
前記バッファメモリは、前記読出部により前記情報記録媒体から前記再生停止位置以降の情報を読み出すために必要な再生時間分の再生済みの情報を、前記再生停止位置よりも前の再生済みの情報として蓄積することを特徴とする請求項１記載の再生装置。
【請求項３】
前記バッファメモリは、前記情報記録媒体の種別毎の領域を備え、前記情報記録媒体の種別毎の前記再生停止位置よりも前の再生済みの情報を、対応する種別の前記領域に蓄積することを特徴とする請求項２記載の再生装置。
【請求項４】
前記バッファメモリは、前記情報記録媒体に記録された情報の種別毎に設定した再生時間分の再生済みの情報を、前記再生停止位置よりも前の再生済みの情報として蓄積することを特徴とする請求項１から請求項３のうちのいずれか１項記載の再生装置。
【請求項５】
電源遮断時に、前記バッファメモリに蓄積した前記再生停止位置よりも前の再生済みの情報を一時的に退避させる不揮発性メモリを備えることを特徴とする請求項１から請求項４のうちのいずれか１項記載の再生装置。
【発明の詳細な説明】
【技術分野】
【０００１】
この発明は、ディスクなどの記録媒体に記録されているコンテンツを再生するディスク再生装置に関するものである。
【背景技術】
【０００２】
近年、記録媒体に記録された映像／音声コンテンツの再生を中断した際に、再生を中断した位置などを含む情報を記録しておき、再生再開が指示された際に記録された情報を参照し、再生を中断した位置から映像／音声コンテンツの視聴を再開するレジューム再生機能を備えた再生装置が用いられている。レジューム再生機能を備えた再生装置において、効率的なデータ転送を実現する種々の技術が開示されている。
【０００３】
例えば、特許文献１に開示された光ディスク再生装置では、既にバッファメモリに格納されているデータと、入力された転送要求によりバッファメモリに格納すべきデータとの重複部分を検出し、検出した重複部分をバッファメモリから廃棄することにより、効率的なデータ転送を実現している。
【０００４】
特許文献２に開示された情報再生装置では、情報の再生中に再生を停止する指示が入力されると、メモリに再生情報を蓄積したまま再生を停止させると共に、再生を再開する指示が入力されるとメモリに蓄積されている再生情報を出力することにより迅速に再生を再開している。
【０００５】
特許文献３に開示されたディスク再生装置では、ディスクの途中停止の際にその停止位置から所定の区間ディスクに記録された情報を先読み記録し、レジューム再生を行う際に先読み記録した情報を再生している間に、ディスクに記録された情報を再生する準備を行うことにより、再生指令と同時に迅速に信号を出力している。
【先行技術文献】
【特許文献】
【０００６】
【特許文献１】特開平１１−２５９２３９号公報
【特許文献２】特開２００１−２９１３２８号公報
【特許文献３】特開２００５−２９３７８４号公報
【発明の概要】
【発明が解決しようとする課題】
【０００７】
しかしながら、上述した特許文献１から特許文献３に開示された技術では、前回の再生が停止された位置から再生を再開するため、再生が再開されたコンテンツと、前回の再生のコンテンツとの間にユーザの記憶の不連続が発生し、再生が再開されたコンテンツをユーザが認識しにくいという課題があった。またユーザは再生が再開されたコンテンツと、前回の再生のコンテンツとのつながりを思い出すために、前回再生済みのコンテンツへの巻き戻し操作を行うため、コンテンツ内容を再確認する手間がかかるという課題があった。
【０００８】
この発明は、上記のような課題を解決するためになされたもので、再生が再開されたコンテンツと、前回再生したコンテンツとのつながりをユーザが容易に認識可能とする再生装置を提供することを目的とする。
【課題を解決するための手段】
【０００９】
この発明に係る再生装置は、再生を停止してから再生の再開が指示された場合に、バッファメモリに蓄積されている再生停止位置よりも前の再生済みの情報から再生を開始する再生処理部を備えるものである。
【発明の効果】
【００１０】
この発明によれば、ユーザに、前回の再生におけるコンテンツと、停止位置以降のコンテンツとの連続性を容易に認識させることができる。
【図面の簡単な説明】
【００１１】
【図１】実施の形態１による再生装置の構成を示すブロック図である。
【図２】実施の形態１による再生装置のデコーダの構成を示すブロック図である。
【図３】実施の形態１による再生装置のデコーダのコンテンツ再生時の動作を示すフローチャートである。
【図４】実施の形態１による再生装置のバッファメモリのコンテンツ再生時の蓄積状態を示す図である。
【図５】実施の形態１による再生装置のデコーダのコンテンツ再生再開時の動作を示すフローチャートである。
【図６】実施の形態１による再生装置のバッファメモリのコンテンツ再生再開時の蓄積状態を示す図である。
【図７】実施の形態１による再生装置のデコーダの電源ＯＦＦ時の動作を示すフローチャートである。
【図８】実施の形態１による再生装置の電源ＯＦＦ時のコンテンツデータの移動を示す図である。
【図９】実施の形態１による再生装置のデコーダの電源ＯＮ時の動作を示すフローチャートである。
【図１０】実施の形態１による再生装置の電源ＯＮ時のコンテンツデータの移動を示す図である。
【図１１】実施の形態１による再生装置のバッファメモリの映像コンテンツと音楽コンテンツの蓄積状態を示す図である。
【発明を実施するための形態】
【００１２】
実施の形態１．
図１は、この発明の実施の形態１による再生装置の構成を示すブロック図である。
再生装置１０は、ピックアップ１、復調器２、デコーダ３、Ｄ／Ａコンバータ４、操作入力部５、制御部６、バッファメモリ７、ローカルストレージ８およびメインメモリ９で構成されている。
ピックアップ１は、再生装置１０内に挿入された光ディスクに記録された映像音声信号を読み出す。復調器２は、ピックアップ１が読み出した映像音声信号をデジタル信号に復調する。復調された映像音声信号はＡＴＡインタフェースなどを介してデコーダ３に出力される。デコーダ３は、復調器２から入力された映像音声信号をバッファメモリ７に蓄積する。また、デコーダ３は、バッファメモリ７から蓄積された映像音声データを読み出しＤ／Ａコンバータ４に出力する、あるいは再生装置１０内に挿入されたメモリカード４０から映像音声データを読み出し、バッファメモリ７への蓄積を行う。
【００１３】
Ｄ／Ａコンバータ４は、デコーダ３から入力された映像音声データをアナログ信号に変換し、映像信号および音声信号として出力される。操作入力部５は、例えばタッチパネルやボタン、キーボードなどで構成され、ユーザの操作入力を受け付ける。制御部６は、操作入力部５を介して入力されたユーザ操作に基づいて、ピックアップ１およびデコーダ３を制御する。バッファメモリ７は、揮発メモリであり、再生装置１０内に挿入される光ディスク２０やメモリカード４０それぞれに対応した記憶領域を有している。
【００１４】
ローカルストレージ８は、不揮発メモリであり、再生装置１０の電源がＯＦＦされる際に一時的にデータの保存が可能な記憶領域である。例えば、ＢＤプロファイル２．０以上対応のＢＤ再生装置では、大容量のローカルストレージ８が標準的に搭載されており、このローカルストレージ８を利用する。メインメモリ９は、再生装置１０のＣＰＵ（不図示）などが使用するメモリである。
光ディスク２０は、例えばＢＤ、ＤＶＤ−ＲＯＭ、ＣＤなどである。メモリカード４０は、例えばＣｏｍｐａｃｔＦｌａｓｈ、ＳｍａｒｔＭｅｄｉａ、ＳＤメモリカード、メモリスティック、ＭＭＣ（それぞれ登録商標または商標）など種々のメモリカードを適用可能である。
【００１５】
次に、デコーダ３の詳細な構成について説明する。
図２は、この発明の実施の形態１による再生装置のデコーダの構成を示すブロック図である。
デコーダ３は、読出処理部３１、バッファ蓄積処理部３２、再生処理部３３、復号処理部３４およびデータ移動処理部３５を備える。
読出処理部３１は、メモリカード４０からコンテンツデータを読み出す。
バッファ蓄積処理部３２は、コンテンツデータを再生する際に、現在の再生位置より後ろの映像音声データを復調器２または読出処理部３１から取得する処理、いわゆる先読み処理を行い、先読みした映像音声データをバッファメモリ７に蓄積する処理（以下、バッファリング処理と称する）を行う。
【００１６】
再生処理部３３は、バッファメモリ７から現在の再生位置のコンテンツデータを読み出し、復号処理部３４に出力する。復号処理部３４は、再生処理部３３から入力された映像音声データを復号し、映像出力や音声出力を行う。データ移動処理部３５は、制御部６から再生装置１０の電源ＯＦＦ要求が入力されると、バッファメモリ７に蓄積された映像音声データをローカルストレージ８に移動させて蓄積する処理を行う。また、制御部６から再生装置１０の電源ＯＮ要求が入力されると、ローカルストレージ８に蓄積された映像音声データをバッファメモリ７に移動させて蓄積する処理を行う。
【００１７】
次に、実施の形態１による再生装置の動作をデコーダ３の処理動作を中心に説明する。以下の説明では、映像と音声を含む映像音声コンテンツを再生する場合を例に説明を行う。
まず、図３を参照しながら、コンテンツ再生中のバッファリング動作について説明する。なお、図３では現在、コンテンツ再生処理が継続中であるものとして説明を行う。
図３は、実施の形態１による再生装置のバッファリング動作を示すフローチャートである。
デコーダ３は、制御部６から入力される制御信号を参照し、コンテンツの再生停止要求が入力されたか否か判定を行う（ステップＳＴ１）。コンテンツの再生停止要求が入力されていない場合（ステップＳＴ１；ＮＯ）、再生処理部３３はバッファメモリ７から再生履歴が未再生のデータ（以下、未再生データと称する）を読み込んで再生処理を継続する（ステップＳＴ２）。また、バッファ蓄積処理部３２は復調器２または読出処理部３１から入力されるコンテンツデータの読み出しを行い、バッファメモリ７に書き込む処理を継続する（ステップＳＴ３）。
【００１８】
さらにバッファ蓄積処理部３２は、制御部６から入力されるデータ更新指示に基づいて、バッファメモリ７に蓄積された再生が終了したデータ（以下、再生済みデータと称する）の更新を行う（ステップＳＴ４）。再生済みデータの更新を具体的に説明すると、バッファメモリ７の再生済みデータの蓄積量が常に一定量となるように、蓄積時期が古い再生済みデータから順に消去する処理を行う。また消去する処理に伴って、未再生データのうち再生が完了したデータを再生済みデータに変更する処理を行う。ステップＳＴ４の処理が終了すると、フローはステップＳＴ１の判定処理に戻り、上述した処理を繰り返す。
【００１９】
一方、コンテンツの再生停止要求が入力された場合（ステップＳＴ１；ＹＥＳ）、再生処理部３３はバッファメモリ７から未再生データの読み込みおよび再生処理を停止する（ステップＳＴ５）。さらに、バッファ蓄積処理部３２は復調器２または読出処理部３１からのコンテンツデータの読み出しを停止すると共に（ステップＳＴ６）、バッファメモリ７に蓄積された未再生データを消去し（ステップＳＴ７）、処理を終了する。
【００２０】
図４は、図３のフローチャートに対応したバッファメモリ７の蓄積状態を示す図である。
図４（ａ）はコンテンツ再生中におけるバッファメモリ７の蓄積状態を示し、図４（ｂ）はコンテンツ再生が停止された場合のバッファメモリ７の蓄積状態を示している。
図４（ａ）において、領域Ａはバッファメモリ７の蓄積可能領域を示し、領域Ｂは再生済みデータの蓄積領域、領域Ｃは未再生データの蓄積領域を示している。
領域Ｂで示した再生済みデータの蓄積量はあらかじめ規定されており、規定された蓄積量を維持するように蓄積時期が古い再生済みデータから順次消去される。
領域Ｃで示した未再生データは、先読みしたコンテンツデータを蓄積するバッファリング処理により蓄積される。このバッファリング処理により、図４（ａ）で示した現在の再生位置Ｏから所定量の未再生データが蓄積される。
【００２１】
図４（ａ）の蓄積状態でコンテンツの再生が行われると、古い再生済みデータの消去により領域Ｂの開始点ｂ１は新データの方向に向けて移動する（矢印ｂ１´参照）。また、現在の再生位置Ｏも新データの方向に向けて移動し（矢印Ｏ´参照）、再生位置Ｏの移動に伴って未再生データが再生済みデータに切り替わる。さらに、コンテンツデータの先読み処理も継続されていることから、領域Ｃの終了点ｃ１が新データの方向に向けて移動する（矢印ｃ１´参照）。このように、コンテンツの再生に伴って、開始点ｂ１、再生位置Ｏおよび終了点ｃ１が旧データから新データの方向に移動する。
【００２２】
コンテンツの再生が停止されると、図４（ｂ）に示すように、バッファメモリ７内には領域Ｂで示した再生済みデータのみが蓄積される。
領域Ｂの終了点ｂ２は前回の再生処理において再生を停止した停止位置であり、当該終了点ｂ２から所定量遡った領域Ｂの開始点ｂ３は次回の再生処理においてコンテンツの再生を再開する再開位置である。次回の再生処理において開始点ｂ３から終了点ｂ２に向けて再生処理を実施する間に、図４（ａ）で示した領域Ｃに相当する未再生データのバッファリング処理を実行する。
【００２３】
そのため、領域Ｂに蓄積しておくデータ量は、次回の再生処理において、開始点ｂ３から終了点ｂ２までの繰り返し再生時間内に、終了点ｂ２以降のコンテンツデータを光ディスク２０またはメモリカード４０から先読みして蓄積するバッファリング処理に必要な時間以上に相当する蓄積量であるものとする。また、ユーザが前回の再生処理においてどの地点を再生していたか認識できる程度、すなわちユーザの記憶が戻る程度の時間に相当する蓄積量も合わせて考慮してもよい。
【００２４】
次に、再生停止後の再生再開動作について説明する。
再生停止後の再生再開動作では、バッファメモリ７に蓄積された再生済みコンテンツデータの先頭から繰り返して再生を行う（以下、重複再生と称する）。再生済みコンテンツデータを再生している間に、再生装置１０による光ディスク２０のスピンアップや、デコーダ３による光ディスク２０またはメモリカード４０からのコンテンツデータの読み出し処理、前回の再生停止位置から迅速にコンテンツデータをデコード可能にバッファメモリ７に書き込む処理を行う。
【００２５】
図５は、この発明の実施の形態１による再生装置の再生再開動作を示すフローチャートである。
デコーダ３は、制御部６から入力される制御信号を参照し、コンテンツの再生再開要求が入力されたか否か判定を行う（ステップＳＴ１１）。コンテンツ再生再開が指示されると（ステップＳＴ１１；ＹＥＳ）、再生処理部３３はバッファメモリ７に蓄積された再生済みコンテンツデータの再生を開始する（ステップＳＴ１２）。また、バッファ蓄積処理部３２は、復調器２または読出処理部３１から入力されるコンテンツデータの読み出しを行い、バッファメモリ７に書き込む（ステップＳＴ１３）。
【００２６】
再生処理部３３は、再生済みコンテンツデータの終了点に到達したか否か、すなわち前回の再生処理における停止位置に到達したか否か判定を行う（ステップＳＴ１４）。前回の再生処理における停止位置に到達していない場合（ステップＳＴ１４；ＮＯ）、ステップＳＴ１２の処理に戻り、再生済みコンテンツデータの再生を継続する。一方、前回の再生処理における停止位置に到達した場合（ステップＳＴ１４；ＹＥＳ）、再生処理部３３はステップＳＴ１３の処理でバッファメモリ７に蓄積された未再生データの再生を続けて実行する（ステップＳＴ１５）。さらにバッファ蓄積処理部３２は、制御部６から入力されるデータ更新指示に基づいて、バッファメモリ７の再生済みデータの更新を行う（ステップＳＴ１６）。その後、フローは図３で示したフローのステップＳＴ１の処理に進む。
【００２７】
図６は、図５のフローチャートに対応したバッファメモリの蓄積状態を示す図であり、再生再開時のバッファメモリの蓄積状態を示している。
コンテンツ再生が再開すると、領域Ｂの開始点ｂ３から終了点ｂ２に向けて重複再生が行われる。図６の例で示した現在の再生位置ｂ４では、ステップＳＴ１４の判定処理において前回再生処理における停止位置（終了点ｂ２）に到達していないと判定され、領域Ｂの再生済みコンテンツデータの再生が継続される。また、領域Ｂの開始点ｂ３から終了点ｂ２に向けて再生を行っている間に、バッファ蓄積処理部３２が復調器２または読出処理部３１からコンテンツデータの読み出しを行い、領域Ｃに未再生データとして蓄積するバッファリング処理を行う。
【００２８】
このように、コンテンツ再生が再開すると、バッファメモリ７に蓄積されたコンテンツデータを用いて再生済みデータの重複再生を開始するため、光ディスク２０やメモリカード４０からコンテンツデータを読み出す場合と比較して早く再生済みデータを出力することができる。また、前回再生処理における停止位置から先の未再生データを所定量蓄積可能な程度の量の再生済みデータが蓄積されていることから、当該再生済みデータの重複再生と同時に、光ディスク２０のスピンアップや、光ディスク２０またはメモリカード４０からのコンテンツデータの読み出しを行うことができ、前回再生処理における停止位置に到達した際にも未再生のコンテンツデータの再生をスムーズに継続することができる。
【００２９】
次に、再生装置１０の電源がＯＦＦされた場合の動作について説明する。
まず、バッファメモリ７は揮発性メモリで構成されているため、再生装置１０の電源がＯＦＦされるとバッファメモリ７内のデータは消去されてしまう。そこで、操作入力部５を介して電源ＯＦＦ要求が入力された際に、バッファメモリ７に蓄積されたデータを、不揮発性メモリで構成されるローカルストレージ８に移動させ、一時的に保存させる処理を行う。
【００３０】
図７は、この発明の実施の形態１による再生装置の電源ＯＦＦ時の動作を示すフローチャートである。
デコーダ３は、制御部６から入力される電源ＯＦＦ要求を受け付けると（ステップＳＴ２１）、データ移動処理部３５がバッファメモリ７内の再生済みデータをローカルストレージ８に移動させる退避処理を行う（ステップＳＴ２２）。ステップＳＴ２２において、バッファメモリ７内の光ディスクに対応する記憶領域や、マイクロメモリカードに対応する記憶領域など、各種記憶媒体に対応する全ての記憶領域に蓄積された再生済みデータをローカルストレージ８に移動させる。ステップＳＴ２２の処理が終了すると、デコーダ３は電源ＯＦＦ処理を実行し（ステップＳＴ２３）、処理を終了する。なお、デコーダ３の電源ＯＦＦ処理は従来技術と同様の動作であるため、説明を省略する。
【００３１】
図８は、図７のフローチャートに対応したバッファメモリ７およびローカルストレージ８の蓄積状態を示す図である。
図８（ａ）はローカルストレージの蓄積状態、図８（ｂ）は光ディスクに対応したバッファメモリの蓄積状態、図８（ｃ）はメモリカードに対応したバッファメモリの蓄積状態を示している。
データ移動処理部３５による退避処理では、図８（ｂ）に示した光ディスクに対応したバッファメモリ７ａの再生済みデータＤがローカルストレージ８に移動され（矢印ｄ参照）、図８（ｃ）に示したメモリカード４０に対応したバッファメモリ７ｂの再生済みデータＥがローカルストレージ８に移動され（矢印ｅ参照）、蓄積される。なお、退避処理によりローカルストレージ８に移動させる各データには、移動元であるバッファメモリ７の各記憶領域７ａ，７ｂを識別可能な情報が付加されている。
【００３２】
次に、再生装置１０の電源がＯＮされた場合の動作について説明する。
再生装置１０の電源がＯＮされると、ローカルストレージ８に保存された再生済みデータを対応するバッファメモリ７内の各記憶領域に移動させる。これにより、前回の処理において電源がＯＦＦされる前のバッファメモリ７の状態に復帰させることができる。
【００３３】
図９は、この発明の実施の形態１による再生装置の電源ＯＮ時の動作を示すフローチャートである。
デコーダ３は、制御部６から入力される電源ＯＮ要求を受け付けると（ステップＳＴ３１）、電源ＯＮ処理を実行する（ステップＳＴ３２）。なお、デコーダ３の電源ＯＮ処理は従来技術と同様の動作であるため、説明を省略する。続いて、データ移動処理部３５は、ローカルストレージ８を参照し、保存された再生済みデータの移動元の識別情報を参照し、バッファメモリ７内の対応する各記憶領域に移動させる復帰処理を行い（ステップＳＴ３３）、処理を終了する。
【００３４】
図１０は、図９のフローチャートに対応したバッファメモリおよびローカルストレージの蓄積状態を示す図である。
図１０（ａ）はローカルストレージの蓄積状態、図１０（ｂ）は光ディスクに対応したバッファメモリの蓄積状態、図１０（ｃ）はメモリカード４０に対応したバッファメモリの蓄積状態を示している。
データ移動処理部３５による復帰処理では、図１０（ａ）に示したローカルストレージ８内の再生済みデータの移動元の識別情報に基づいて、再生済みデータＤを光ディスク２０に対応したバッファメモリ７ａに移動させて蓄積し（図１０の矢印ｄ´参照）、再生済みデータＥをメモリカード４０に対応したバッファメモリ７ｂに移動させて蓄積する（図１０の矢印ｅ´参照）。
【００３５】
バッファメモリ７ａ，７ｂの蓄積状態が図１０（ｂ）および図１０（ｃ）に復帰し、コンテンツ再生再開要求が入力されると、上述した図５および図３のフローチャートで示した処理が行われ、再生済みデータの再生および未再生データの再生が行われる。
【００３６】
図８および図１０で示したように、バッファメモリ７は光ディスク２０やメモリカード４０など記憶媒体それぞれに対応したバッファメモリ７ａ，７ｂを備えているため、バッファ蓄積処理部３２がコンテンツデータを読み出す対象を光ディスク２０からメモリカード４０に変更する、あるいはメモリカード４０から光ディスクに変更する場合にも、バッファメモリ７内に蓄積された再生済みデータはクリアさせることなく、次回の再生処理の再開に利用することができる。
【００３７】
以上のように、この実施の形態１によれば、コンテンツの再生が停止された場合に再生済みデータを所定量蓄積し、当該停止位置からの再生が指示された場合に、蓄積された再生済みデータを重複再生するように構成したので、前回の再生における停止位置から再生を再開する場合に、ユーザは前回の再生における停止位置から所定量前のコンテンツの内容を把握することができ、停止位置以降のコンテンツの内容との連続性についても容易に把握することができる。これにより、ユーザは停止位置より前のコンテンツの内容を確認するための巻き戻し操作を行う必要がなく、スムーズに再生を再開することができる。
【００３８】
また、この実施の形態１によれば、前回の停止位置からの再生が指示された場合に、蓄積した再生済みデータを重複再生している間に、前回の停止位置以降の未再生のコンテンツデータを読み込み、蓄積するように構成したので、ユーザを待たせることなく前回の停止位置以降のコンテンツを再生することができる。
【００３９】
また、この実施の形態１によれば、バッファメモリ７内に複数の記録媒体それぞれに対応した記憶領域を設けるように構成したので、再生対象となる記録媒体が切り替わった場合にも、再生済みデータの蓄積を継続させることができる。
【００４０】
また、この実施の形態１によれば、電源ＯＦＦ要求が入力された際に、バッファメモリ７に蓄積されたデータを、不揮発性メモリで構成されるローカルストレージ８に移動させ、一時的に保存させると共に、電源ＯＮ要求が入力された際に、ローカルストレージ８に蓄積されたデータをバッファメモリ７に移動させるように構成したので、再生装置の電源がＯＦＦされた場合にも、再生済みデータを蓄積させておくことができる。
【００４１】
なお、上述した実施の形態１では、コンテンツの再生が停止された場合に、バッファ蓄積処理部３２がバッファメモリ７に蓄積された未再生データを消去する構成を示したが、蓄積された未再生データの一部または全部を蓄積しておくように構成してもよい。
【００４２】
実施の形態２．
上述した実施の形態１では、映像と音声を含む映像音声コンテンツに対する処理を示したが、この実施の形態２では、音楽のみの音楽コンテンツと、映像と音声を含む映像音声コンテンツとを区別して再生処理を行う構成について説明する。
まず、音楽コンテンツの再生では、前回の再生処理においてどこを再生していたのか明確な認識を必要とせず、前回の再生と停止位置からの再生再開についてユーザの記憶の不連続が発生した場合にも、ユーザにはそれほど大きな違和感はない。
そこで、この実施の形態２では、再生処理部３３が再生するコンテンツが映像コンテンツか音楽コンテンツであるかの判定を行い、再生するコンテンツ種別に応じてバッファメモリ７の再生済みデータの蓄積量を変化させる構成を示す。
【００４３】
図１１は実施の形態２による再生装置のバッファメモリ７の蓄積状態を示す図であり、図１１（ａ）は映像コンテンツの再生済みデータＦの蓄積例を示し、図１１（ｂ）は音楽コンテンツの再生済みデータＧの蓄積例を示している。
図１１において、ｆ１は映像コンテンツの前回の再生における停止位置であり、ｇ１は音楽コンテンツの前回の再生における停止位置である。音楽コンテンツの再生済みデータＧの蓄積量ｇ２は、映像コンテンツの再生済みデータＦの蓄積量ｆ２よりも小さく設定されている。
【００４４】
なお、図１１に示すように音楽コンテンツの再生済みデータの蓄積量を小さく設定する場合であっても、当該再生済みデータの重複再生時間内に、少なくとも光ディスク２０のスピンアップや、光ディスク２０またはメモリカード４０からコンテンツデータを先読みして蓄積するバッファリング処理に必要な時間以上に相当する蓄積量を維持する。
【００４５】
再生対象が映像コンテンツであるか、音楽コンテンツであるかの判断は、バッファ蓄積処理部３２において行う。蓄積するコンテンツがファイル形式で管理されている場合にはファイルの拡張子を参照し、その他光ディスク２０のディスク種別などに基づいて判断する。ファイルの拡張子に基づいて判断する場合には、例えば、ファイル名から「ｍｐ３」や「ｍｄｉ」などの音楽データファイルを示す拡張子の記述を検出することにより判断することができる。また、ディス種別に基づいて判断する場合には、例えば光ディスクがＣＤＤＡ（Compact Disc Digital Audio）やＤＶＤ−Ａｕｄｉｏの場合には音楽コンテンツであると判断する。一方、上記以外の光ディスク、例えばＢＤ−ＲＯＭ、ＤＶＤ−ＲＯＭ、ＣＤ−ＲＯＭの場合には映像コンテンツであると判断する。
【００４６】
以上のように、この実施の形態２によれば、音楽コンテンツの再生済みデータの蓄積量を、映像コンテンツの再生済みデータの蓄積量よりも小さく抑制するように構成したので、前回の再生においてどこを再生していたのか明確な認識を必要としない音楽コンテンツの再生では、重複再生を行うデータ量を最小限に留めることができ、効率的な再生処理を行うことができる。
【００４７】
また、この実施の形態２によれば、音楽コンテンツの再生を再開する場合に、少なくとも光ディスクのスピンアップや、コンテンツデータを先読みして蓄積するバッファリング処理に必要となる時間を重複再生時間に設定するように構成したので、前回の停止位置からの再生処理に対する待機時間を抑制することができる。
【００４８】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４９】
１  ピックアップ、２  復調器、３  デコーダ、４  Ｄ／Ａコンバータ、５  操作入力部、６  制御部、７  バッファメモリ、８  ローカルストレージ、９  メインメモリ、１０  再生装置、２０  光ディスク、３１  読出処理部、３２  バッファ蓄積処理部、３３  再生処理部、３４  復号処理部、３５  データ移動処理部、４０  メモリカード。
【図１】
2013254534.tif 000003
【図２】
2013254534.tif 000004
【図３】
2013254534.tif 000005
【図４】
2013254534.tif 000006
【図５】
2013254534.tif 000007
【図６】
2013254534.tif 000008
【図７】
2013254534.tif 000009
【図８】
2013254534.tif 000010
【図９】
2013254534.tif 000011
【図１０】
2013254534.tif 000012
【図１１】
2013254534.tif 000013